(57)【要約】【課題】反射型光変調装置の位置ずれを抑制できるプロジェクターを提供する。【解決手段】プロジェクター１は、反射型光変調装置４、反射型偏光板３、プリズム７、及び支持体６の他、プリズム７に固定される接続部材８と、接続部材８及び支持体６間に介在し、接続部材８及び支持体６を固定する固定部材９とを備える。接続部材８は、固定部材９の一部が挿通される挿通部８１１Ａを有する。固定部材９は、挿通部８１１Ａに挿通する突起部９１と、支持体６に当接する当接面９２１とを備える。【選択図】図２
2012008187.tif 000002
【特許請求の範囲】
【請求項１】
複数の色光を色光毎にそれぞれ変調する複数の反射型光変調装置と、
前記複数の反射型光変調装置に対してそれぞれ傾斜して配設され、入射した前記複数の色光をそれぞれ偏光分離する複数の反射型偏光板と、
前記複数の反射型光変調装置にて変調され前記複数の反射型偏光板にて偏光分離された各色光を合成する色合成光学装置と、
前記色合成光学装置に固定される接続部材と、
前記反射型光変調装置及び前記反射型偏光板を支持する支持体と、
前記接続部材及び前記支持体間に介在し、前記接続部材及び前記支持体を固定する固定部材とを備え、
前記接続部材及び前記支持体のいずれか一方は、
前記固定部材の一部が挿通される挿通部を有し、
前記固定部材は、
前記挿通部に挿通する突起部と、
前記接続部材及び前記支持体のいずれか他方に当接する当接面とを備える
ことを特徴とするプロジェクター。
【請求項２】
請求項１に記載のプロジェクターにおいて、
前記接続部材は、
前記色合成光学装置における前記複数の色光がそれぞれ入射する複数の光入射面に交差する一対の交差端面の少なくともいずれか一方に固定され、光路上流側に延出し平面視で前記支持体に重なり合う張出部を有し、
前記挿通部は、
前記張出部に形成されている
ことを特徴とするプロジェクター。
【請求項３】
請求項２に記載のプロジェクターにおいて、
前記接続部材は、
一対設けられ、前記一対の交差端面の双方にそれぞれ固定され、
前記固定部材は、
前記支持体を挟んで一対設けられている
ことを特徴とするプロジェクター。
【請求項４】
請求項２または請求項３に記載のプロジェクターにおいて、
前記挿通部及び前記突起部には、
前記挿通部への前記突起部の挿通方向に沿う軸を中心とした前記突起部の回転を規制する回転規制部が形成されている
ことを特徴とするプロジェクター。
【請求項５】
請求項２から請求項４のいずれかに記載のプロジェクターにおいて、
前記固定部材は、
前記突起部に直交して前記突起部の一端から光路上流側に延出し、前記当接面が形成された垂直壁を備え、
前記張出部には、
平面視で前記垂直壁に重なり合う位置に前記挿通部に連通する切欠部が形成されている
ことを特徴とするプロジェクター。
【発明の詳細な説明】
【技術分野】
【０００１】
本発明は、プロジェクターに関する。
【背景技術】
【０００２】
従来、Ｒ（赤），Ｇ（緑），Ｂ（青）の３つの色光をそれぞれ変調するＬＣＯＳ(Liquid Crystal On Silicon)等の３つの反射型光変調装置と、各反射型光変調装置にて変調された各色光を合成する色合成光学装置と、合成された光束を投射する投射レンズとを備えたプロジェクターが知られている（例えば、特許文献１参照）。
特許文献１に記載のプロジェクターでは、反射型光変調装置及び色合成光学装置の他、入射した光束を互いに偏光方向が直交する各直線偏光光に偏光分離する３つのワイヤーグリッドと、反射型光変調装置及びワイヤーグリッドを支持し、色合成光学装置の３つの光入射面にそれぞれ接着剤にて固定される３つの支持体とを備える。
支持体は、三角柱状の中空部材で構成され、各側面にそれぞれ反射型光変調装置及びワイヤーグリッドが取り付けられる。
【０００３】
ところで、プロジェクターでは、鮮明な画像を得るために、各反射型光変調装置は、投射レンズのバックフォーカス位置に必ずなければならない。また、より鮮明な画像を得るために、各反射型光変調装置間での画素ずれの発生を防止する必要がある。このため、各支持体を色合成光学装置に対して固定する際には、各支持体を移動させて、各反射型光変調装置を投射レンズのバックフォーカス位置に正確に配置するフォーカス調整、及び、各反射型光変調装置の画素を一致させるアライメント調整を高精度に行う必要がある。
【先行技術文献】
【特許文献】
【０００４】
【特許文献１】特開２００９−３６８１９号公報
【発明の概要】
【発明が解決しようとする課題】
【０００５】
しかしながら、特許文献１に記載のプロジェクターでは、位置調整（フォーカス調整及びアライメント調整）後、色合成光学装置の光入射面と支持体との隙間が大きくなった場合には、当該隙間に充填する接着剤の量も多くなる。このように、接着剤の量が多くなった場合には、接着剤の硬化時の収縮も大きくなる。
すなわち、位置調整により各反射型光変調装置を所望の位置に位置付けた後、接着剤を硬化させて色合成光学装置に対して支持体を固定する際に、各反射型光変調装置が所望の位置からずれてしまう、という問題がある。
【０００６】
本発明の目的は、反射型光変調装置の位置ずれを抑制できるプロジェクターを提供することにある。
【課題を解決するための手段】
【０００７】
本発明のプロジェクターは、複数の色光を色光毎にそれぞれ変調する複数の反射型光変調装置と、前記複数の反射型光変調装置に対してそれぞれ傾斜して配設され、入射した前記複数の色光をそれぞれ偏光分離する複数の反射型偏光板と、前記複数の反射型光変調装置にて変調され前記複数の反射型偏光板にて偏光分離された各色光を合成する色合成光学装置と、前記色合成光学装置に固定される接続部材と、前記反射型光変調装置及び前記反射型偏光板を支持する支持体と、前記接続部材及び前記支持体間に介在し、前記接続部材及び前記支持体を固定する固定部材とを備え、前記接続部材及び前記支持体のいずれか一方は、前記固定部材の一部が挿通される挿通部を有し、前記固定部材は、前記挿通部に挿通する突起部と、前記接続部材及び前記支持体のいずれか他方に当接する当接面とを備えることを特徴とする。
【０００８】
本発明では、色合成光学装置に対する支持体の固定構造として、上述した接続部材及び固定部材を採用している。
このことにより、例えば、固定部材は、当接面に沿う方向への支持体の移動時には、挿通部に突起部が挿通した状態を維持しながら、支持体の移動を規制することなく、支持体を自由に移動させる。また、例えば、固定部材は、挿通部への突起部の挿通方向に沿う方向への支持体の移動時には、挿通部への突起部の挿通方向に沿って、支持体とともに移動する。
すなわち、固定部材を支持体の移動に追従させることができるため、接着剤にて固定する部位（挿通部と突起部との間、当接面と接続部材及び支持体のいずれか他方との間）の隙間を最小限に設定できる。このため、前記部位に充填する接着剤の量を少なくでき、接着剤の硬化時の収縮を小さくできる。
したがって、位置調整により反射型光変調装置を所望の位置に位置付けた後、前記部位の接着剤を硬化させて色合成光学装置に対して支持体を固定する場合であっても、反射型光変調装置を所望の位置に良好に維持できる。
【０００９】
本発明のプロジェクターでは、前記接続部材は、前記色合成光学装置における前記複数の色光がそれぞれ入射する複数の光入射面に交差する一対の交差端面の少なくともいずれか一方に固定され、光路上流側に延出し平面視で前記支持体に重なり合う張出部を有し、前記挿通部は、前記張出部に形成されていることが好ましい。
本発明では、挿通部が支持体ではなく接続部材に形成されているので、色合成光学装置に対する支持体の固定構造として上述した固定構造を採用する場合であっても、従来と同様の支持体を使用でき、支持体の設計変更を不要とする。
また、色合成光学装置及び支持体間に接続部材や固定部材が介在しないため、色合成光学装置に対して支持体を近接して配設でき、色合成光学装置に対して支持体が固定されたユニットを小型化できる。
【００１０】
本発明のプロジェクターでは、前記接続部材は、一対設けられ、前記一対の交差端面の双方にそれぞれ固定され、前記固定部材は、前記支持体を挟んで一対設けられていることが好ましい。
本発明では、色合成光学装置に対する支持体の固定構造（接続部材及び固定部材）は、支持体を挟んで一対設けられている。
このことにより、色合成光学装置に対する支持体の固定強度を十分に確保でき、外力が加わった場合であっても、色合成光学装置に対する支持体の位置ずれ、すなわち、反射型光変調装置の位置ずれを十分に抑制できる。
【００１１】
本発明のプロジェクターでは、前記挿通部及び前記突起部には、前記挿通部への前記突起部の挿通方向に沿う軸を中心とした前記突起部の回転を規制する回転規制部が形成されていることが好ましい。
本発明では、挿通部及び突起部に上述した回転規制部が設けられているので、位置調整時において、支持体の移動に固定部材を追従させても、固定部材が上述した軸を中心として回転することがない。
このため、当接面と支持体との接触面積を十分に維持した所望の位置から固定部材がずれることがなく、接着剤を硬化させる際に固定部材の位置を直す手間が省け、色合成光学装置に対する支持体の固定を容易に実施できる。
【００１２】
本発明のプロジェクターでは、前記固定部材は、前記突起部に直交して前記突起部の一端から光路上流側に延出し、前記当接面が形成された垂直壁を備え、前記張出部には、平面視で前記垂直壁に重なり合う位置に前記挿通部に連通する切欠部が形成されていることが好ましい。
ところで、例えば、固定部材として、突起部の一端から光路上流側及び光路下流側の双方に延出する一対の垂直壁を設けた構成、すなわち、側面視Ｔ字状の構成とする。このような構成とした場合には、光路下流側に位置する垂直壁が接続部材にて隠された位置に配設されるため、当該垂直壁と支持体との間に介在する接着剤を硬化することが難しい。
本発明では、固定部材が上述した構成、すなわち、側面視Ｌ字状の構成とされているので、支持体に固定するための垂直壁の数を最低限の数とし、固定部材を簡素な構造で小型化できる。
また、張出部に上述した切欠部が形成されているので、切欠部を介して垂直壁を支持体に向けて押圧することができる。すなわち、当該押圧により、垂直壁（当接面）を支持体に対して確実に密着させることができる。このため、当接面及び支持体を接着剤にて確実に固定して色合成光学装置に対する支持体の固定強度を十分に確保でき、外力が加わった場合であっても、色合成光学装置に対する支持体の位置ずれ、すなわち、反射型光変調装置の位置ずれを十分に抑制できる。
【図面の簡単な説明】
【００１３】
【図１】本実施形態におけるプロジェクターの概略構成を示す図。
【図２】本実施形態における光学装置の構成を示す図。
【図３】本実施形態における光学装置の構成を示す図。
【図４】本実施形態における光学装置の構成を示す図。
【図５】本実施形態における投射ユニットの製造方法を説明するための図。
【発明を実施するための形態】
【００１４】
以下、本発明の実施の一形態を図面に基づいて説明する。
〔プロジェクターの構成〕
図１は、プロジェクター１の概略構成を示す図である。具体的に、図１は、本願の要部である投射ユニット２の構成を示す斜視図である。
プロジェクター１は、画像を投射してスクリーン（図示略）上に投影画像を表示する。
このプロジェクター１は、図１に示すように、外装筐体（図示略）内部に収納される投射ユニット２を備える。
【００１５】
投射ユニット２は、光源装置（図示略）から出射され、ダイクロイックミラー等の色分離光学装置で分離されたＲ、Ｇ、Ｂの各色光をそれぞれ変調し、変調した各色光を合成して投射するものである。
この投射ユニット２は、図１に示すように、光学装置２Ａと、投射レンズ２Ｂと、光学装置２Ａ及び投射レンズ２Ｂを支持する基体２Ｃとを備える。
【００１６】
〔光学装置の構成〕
図２ないし図４は、光学装置２Ａの構成を示す図である。具体的に、図２は、光学装置２Ａの構成を示す分解斜視図である。図３（Ａ）は、図１中、左側から光学装置２Ａを見た平面図である。図３（Ｂ）は、図３（Ａ）におけるＢ−Ｂ線の断面図である。図４は、光学装置２Ａの光学系を図１中、左側から見た模式図である。
光学装置２Ａは、図１ないし図３に示すように、反射型偏光板としての３つのワイヤーグリッド３と、３つの反射型光変調装置４と、３つの偏光板５（図２〜図３）と、３つの支持体６（図１〜図３）と、色合成光学装置としてのクロスダイクロイックプリズム７と、接続部材８と（図１〜図３）、固定部材９（図１〜図３）とを備える。
なお、以下では、説明の便宜上、Ｒ色光側のワイヤーグリッドを３Ｒ、Ｇ色光側のワイヤーグリッドを３Ｇ、Ｂ色光側のワイヤーグリッドを３Ｂとしている。
【００１７】
〔ワイヤーグリッドの構成〕
３つのワイヤーグリッド３は、格子構造に基づく回折により入射した光束を偏光分離する。各ワイヤーグリッド３は、図１ないし図４に示すように、支持体６により、入射光束の光軸に対して略４５°傾斜した状態で配置される。
そして、各ワイヤーグリッド３は、入射した光束のうち、所定の偏光光（第１の直線偏光光）を透過させ、第１の直線偏光光の偏光方向に直交する偏光方向を有する偏光光（第２の直線偏光光）を反射させ、入射した光束を偏光分離する。
【００１８】
〔反射型光変調装置の構成〕
３つの反射型光変調装置４は、シリコン基板上に液晶が形成された所謂ＬＣＯＳで構成された反射型液晶パネルを備える。各反射型光変調装置４は、図１ないし図４に示すように、支持体６により、各ワイヤーグリッド３を透過した光束の光軸に対して略直交した状態でそれぞれ配置される。
そして、各反射型光変調装置４は、制御装置（図示略）からの信号を入力されることで、前記液晶の配向状態が制御され、ワイヤーグリッド３を透過した偏光光束の偏光方向を変調し、ワイヤーグリッド３に向けて反射する。反射型光変調装置４にて変調され、ワイヤーグリッド３に向けて反射された光束は、第２の直線偏光光と同一の偏光方向を有する偏光光のみがワイヤーグリッド３にて反射されてプリズム７に向う。
【００１９】
〔偏光板の構成〕
３つの偏光板５は、各反射型光変調装置４にて変調されワイヤーグリッド３にて反射された第２の直線偏光光の偏光方向と略同一の偏光方向を有する偏光光を透過させる。すなわち、ワイヤーグリッド３及び偏光板５の双方を用いることで、ワイヤーグリッド３にて所望の直線偏光光以外の偏光成分が反射された場合であっても、偏光板５にて前記偏光成分を除去する構成を採用している。
そして、各偏光板５は、図２ないし図３に示すように、支持体６により、プリズム７の各光入射面７１にそれぞれ対向するように配置される。
【００２０】
〔クロスダイクロイックプリズムの構成〕
プリズム７は、図２ないし図３に示すように、各偏光板５を透過した各色光がそれぞれ入射される３つの光入射面７１を有し、入射した各色光を合成する。
このプリズム７は、４つの直角プリズムを貼り合せた平面視略正方形状をなし、直角プリズム同士を貼り合せた界面には、２つの誘電体多層膜が形成されている。これら誘電体多層膜は、ワイヤーグリッド３Ｇにて反射されたＧ色光を透過し、各ワイヤーグリッド３Ｒ，３Ｂにて反射されたＲ，Ｂ色光をそれぞれ反射する。このようにして、各色光が合成される。そして、プリズム７で合成された光束（画像）は、投射レンズ２Ｂにてスクリーンに向けて投射される。
【００２１】
〔支持体の構成〕
３つの支持体６は、Ｒ，Ｇ，Ｂの色光毎に配設されるワイヤーグリッド３、反射型光変調装置４、及び偏光板５をそれぞれ支持する。
この支持体６は、図２または図３に示すように、断面略直角二等辺三角形状を有する三角柱状の中空部材であり、斜面である第１側面６１、頂角を挟む第２側面６２及び第３側面６３を備える。そして、各側面６１〜６３には、開口部６４（図３（Ｂ））がそれぞれ形成されている。
【００２２】
第１側面６１には、ワイヤーグリッド３が固定される。
また、第２側面６２には、反射型光変調装置４が固定される。
さらに、第３側面６３には、偏光板５が固定される。
以上のように、各側面６１〜６３に各部材３〜５がそれぞれ固定されることで、各開口部６４が閉塞され、支持体６内部の空間が密閉される。すなわち、この密閉空間内に反射型光変調装置４の反射面が配置されることとなるので、反射面への粉塵の付着を防ぐことができ、反射面に付着した粉塵が投影画像中に影として映る等の投影画像の劣化を防止できる。
また、支持体６において、各側面６１〜６３に交差する一対の底面６５は、図２または図３に示すように、平坦状に形成されている。
【００２３】
〔接続部材の構成〕
接続部材８は、図２または図３に示すように、一対設けられ、プリズム７における各光入射面７１に交差する一対の交差端面７２にそれぞれ固定される。
なお、以下では、説明の便宜上、図２中、左側に位置する接続部材を第１接続部材８Ａとし、右側に位置する接続部材を第２接続部材８Ｂとする。
また、第２接続部材８Ｂは、第１接続部材８Ａにおける後述する基部８１と同様の構成を有しているため、同一の符号を付してその詳細な説明については省略する。
【００２４】
第１接続部材８Ａは、図１ないし図３に示すように、基部８１及び接続部８２が一体形成されたものである。
基部８１は、交差端面７２の平面形状と略同一の平面形状を有する矩形状の板体で構成されている。
この基部８１において、各光入射面７１に倣う各端面には、図２または図３に示すように、光路上流側（各光入射面７１の法線方向）に延出し、平面視で支持体６の底面６５に重なる張出部８１１がそれぞれ形成されている。
【００２５】
張出部８１１には、図２または図３に示すように、表裏を貫通する挿通部８１１Ａが形成されている。
この挿通部８１１Ａは、図３（Ａ）に示すように、平面視で、光入射面７１に直交する方向に延び、略矩形形状を有する。
また、張出部８１１の先端部分には、挿通部８１１Ａに連通するように切欠部８１１Ｂが形成されている。
接続部８２は、図１に示すように、基部８１の板面から面外方向に突出し、光学装置２Ａを基体２Ｃに対して固定する部分である。
【００２６】
〔固定部材の構成〕
固定部材９は、接続部材８とともに、プリズム７に対して支持体６を固定する部材である。この固定部材９は、図２または図３に示すように、１つの支持体６を一対で挟むように配設され、３つの支持体６に対して計６つ設けられている。
この固定部材９は、突起部９１と、垂直壁９２とを備え、側面視略Ｌ字形状を有する。
突起部９１は、挿通部８１１Ａに挿通する部分であり、平面視で挿通部８１１Ａの内周形状よりも若干小さい略矩形形状を有する。
【００２７】
垂直壁９２は、突起部９１の一端から光路上流側に向けて延出し、図３に示すように、平面視で支持体６の底面６５に重なるように形成されている。
この垂直壁９２において、支持体６の底面６５に対向する端面は、図３（Ｂ）に示すように、平坦状に形成され、支持体６の底面６５に当接する当接面９２１として機能する。
また、垂直壁９２には、図２または図３に示すように、表裏を貫通する一対の硬化用孔９２２が形成されている。
一対の硬化用孔９２２は、図３（Ａ）に示すように、一部が平面視で張出部８１１よりも光路上流側に位置するように形成されている。
【００２８】
〔投射ユニットの製造方法〕
次に、上述した投射ユニット２の製造方法について説明する。
図５は、投射ユニット２の製造方法を説明するための図である。具体的に、図５は、図３（Ｂ）と同方向から見た断面の一部を示す図である。
先ず、作業者は、プリズム７に対して接続部材８を固定するとともに、第１接続部材８を基体２Ｃに対して固定し、投射レンズ２Ｂとプリズム７とを一体化する。また、作業者は、支持体６に対して各部材３〜５を固定する。
次に、作業者は、突起部９１の外周面、及び当接面９２１に紫外線硬化型の接着剤を塗布する。そして、作業者は、図５（Ａ）に示すように、一対の固定部材９を、互いに対向する張出部８１１間に位置するように、突起部９１を挿通部８１１Ａに挿通し、張出部８１１に垂直壁９２を当接させる。
【００２９】
次に、作業者は、治具（図示略）を利用し、当該治具に支持体６を保持させながら、図５（Ｂ）に示すように、偏光板５が光入射面７１に対向し、各底面６５が各張出部８１１に対向する姿勢で、支持体６を一対の固定部材９間に位置付ける。
次に、作業者は、図５（Ｃ）に示すように、一対の固定部材９を互いに近接する方向に移動させ、垂直壁９２を支持体６の底面６５に当接させる。
そして、作業者は、３つの支持体６を上述した状態に設定した後、各反射型光変調装置４の位置調整（フォーカス調整及びアライメント調整）を開始する。
なお、以下では、説明の便宜上、光入射面７１の法線方向をＺ軸とし、挿通部８１１Ａへの突起部９１の挿通方向をＸ軸とし、Ｘ軸及びＺ軸に直交する軸をＹ軸とする（図５（Ｃ）参照）。
【００３０】
先ず、作業者は、以下に示すように、フォーカス調整を実施する。
すなわち、作業者は、治具を操作し、治具からワイヤーグリッド３に向けてフォーカス調整用の光束を出射させる。
そして、作業者は、反射型光変調装置４にて変調され、ワイヤーグリッド３、偏光板５、プリズム７、及び投射レンズ２Ｂを介してスクリーンに投射された投影画像を確認しながら、投影画像が合焦状態となるように、治具を操作して支持体６を移動させる。
具体的に、作業者は、治具を操作して、Ｚ軸に沿う方向、Ｘ軸を中心とした回転方向（以下、Ｘθ方向）、及びＹ軸を中心とした回転方向（以下、Ｙθ方向）に支持体６を移動させる。
ここで、支持体６をＺ軸に沿う方向に移動させた場合には、当接面９２１に対して支持体６の底面６５が摺動するのみであり、固定部材９は、支持体６の移動に連動することはない。
一方、支持体６をＸθ方向あるいはＹθ方向に移動させた場合には、固定部材９は、紫外線硬化型の接着剤の表面張力によって当接面９２１及び底面６５の密着状態が維持されるため、挿通部８１１Ａの内周面と突起部９１の外周面とのクリアランスに応じて挿通部８１１Ａ内部で突起部９１が傾斜するように移動する。
【００３１】
そして、作業者は、３つの反射型光変調装置４のフォーカス調整を実施した後、以下に示すように、アライメント調整を実施する。
すなわち、作業者は、治具を操作し、治具から各ワイヤーグリッド３に向けてアライメント調整用の光束（Ｒ，Ｇ，Ｂの各色光）をそれぞれ出射させる。
そして、作業者は、各反射型光変調装置４にて変調され、各ワイヤーグリッド３、各偏光板５、プリズム７、及び投射レンズ２Ｂを介してスクリーンに投射されたＲ，Ｇ，Ｂの各投影画像を確認しながら、各投影画像の画素が一致するように、治具を操作して各支持体６を移動させる。
【００３２】
具体的に、作業者は、治具を操作して、Ｘ軸に沿う方向、Ｙ軸に沿う方向、及びＺ軸を中心とした回転方向（以下、Ｚθ方向）に各支持体６を移動させる。
ここで、支持体６をＹ軸に沿う方向に移動させた場合には、固定部材９は、上述したＺ軸に沿う方向に移動させた場合と同様に、支持体６の移動に連動することはない。
また、支持体６をＸ軸に沿う方向に移動させた場合には、固定部材９は、紫外線硬化型の接着剤の表面張力によって当接面９２１及び底面６５が密着しているため、挿通部８１１Ａに突起部９１が挿通された状態を維持しながら、支持体６とともにＸ軸方向に移動する。
さらに、支持体６をＺθ方向に移動させた場合には、固定部材９は、上述したＸθ方向あるいはＹθ方向に移動させた場合と同様に、挿通部８１１Ａ内部で突起部９１が傾斜するように移動する。
【００３３】
次に、作業者は、上述した位置調整を実施した後、各切欠部８１１Ｂを介して各固定部材９の垂直壁９２を支持体６に向けて押圧し、各当接面９２１を支持体６の底面６５に対して確実に密着させる。
そして、作業者は、挿通部８１１Ａの内周面と突起部９１の外周面との間の接着剤、及び当接面９２１と支持体６の底面６５との間の接着剤に紫外線を照射して硬化させる。
なお、当接面９２１と支持体６の底面６５との間の接着剤を硬化させる際には、一対の硬化用孔９２２に向けて紫外線を照射するものである。
以上のように、接着剤を硬化させることで、プリズム７に対して各支持体６が固定され、投射ユニット２が製造される。
【００３４】
上述した本実施形態によれば、以下の効果がある。
本実施形態では、プリズム７に対する支持体６の固定構造として、接続部材８及び固定部材９を採用している。
このことにより、固定部材９を支持体６の移動に追従させることができるため、接着剤にて固定する部位（挿通部８１１Ａの内周面と突起部９１の外周面との間、当接面９２１と支持体６の底面６５との間）の隙間を最小限に設定できる。このため、前記部位に充填する接着剤の量を少なくでき、接着剤の硬化時の収縮を小さくできる。
したがって、位置調整により反射型光変調装置４を所望の位置に位置付けた後、前記部位の接着剤を硬化させてプリズム７に対して支持体６を固定する場合であっても、反射型光変調装置４を所望の位置に良好に維持できる。
【００３５】
また、固定部材９を支持体６の移動に追従させることができるため、固定部材９を組み込んだ状態で反射型光変調装置４を位置調整でき、例えば、反射型光変調装置４の位置調整後に固定部材９を組み込む構成と比較して、投射ユニット２の製造を容易に実施できる。
【００３６】
さらに、挿通部８１１Ａが支持体６ではなく接続部材８に形成されているので、プリズム７に対する支持体６の固定構造として上述した固定構造を採用する場合であっても、従来と同様の支持体６を使用でき、支持体６の設計変更を不要とする。
また、プリズム７及び支持体６間に接続部材８や固定部材９が介在しないため、プリズム７に対して支持体６を近接して配設でき、光学装置２Ａを小型化できる。
【００３７】
さらに、プリズム７に対する支持体６の固定構造（接続部材８及び固定部材９）は、支持体６を挟んで一対設けられている。
このことにより、プリズム７に対する支持体６の固定強度を十分に確保でき、外力が加わった場合であっても、プリズム７に対する支持体６の位置ずれ、すなわち、反射型光変調装置４の位置ずれを十分に抑制できる。
【００３８】
また、挿通部８１１Ａの内周面、及び突起部９１の外周面は、平面視略矩形形状を有している。このため、反射型光変調装置４の位置調整時において、支持体６の移動に固定部材９を追従させても、固定部材９がＸ軸を中心として回転することがない。すなわち、挿通部８１１Ａの内周面、及び突起部９１の外周面が本発明に係る回転規制部１０（図３（Ａ））に相当する。
このため、当接面９２１と支持体６の底面６５との接触面積を十分に維持した所望の位置から固定部材９がずれることがなく、接着剤を硬化させる際に固定部材９の位置を直す手間が省け、プリズム７に対する支持体６の固定を容易に実施できる。
【００３９】
さらに、固定部材９が側面視Ｌ字状の構成とされているので、例えば固定部材９が側面視Ｔ字状に構成されている場合と比較して、支持体６に固定するための垂直壁９２の数を最低限の数とし、固定部材９を簡素な構造で小型化できる。
また、張出部８１１に切欠部８１１Ｂが形成されているので、切欠部８１１Ｂを介して垂直壁９２を支持体６に向けて押圧することができる。すなわち、当該押圧により、垂直壁９２（当接面９２１）を支持体６の底面６５に対して確実に密着させることができる。このため、当接面９２１及び支持体６の底面６５を接着剤にて確実に固定してプリズム７に対する支持体６の固定強度を十分に確保でき、外力が加わった場合であっても、プリズム７に対する支持体６の位置ずれ、すなわち、反射型光変調装置４の位置ずれを十分に抑制できる。
【００４０】
なお、本発明は前述の実施形態に限定されるものではなく、本発明の目的を達成できる範囲での変形、改良等は本発明に含まれるものである。
前記実施形態では、接続部材８に挿通部８１１Ａが形成されていたが、これに限らず、支持体６に挿通部を形成した構成を採用しても構わない。すなわち、接続部材８及び支持体６のいずれか一方に、挿通部が形成されていればよい。
前記実施形態では、固定部材９は、側面視Ｌ字形状を有していたが、これに限らず、突起部と当接面とを有していれば、いずれの形状を採用してもよく、例えば、ピン形状としてもよく、あるいは、側面視Ｔ字形状としても構わない。
前記実施形態では、プリズム７の交差端面７２に接続部材８が固定されていたが、これに限らず、プリズム７の光入射面７１に接続部材８を固定した構造を採用しても構わない。すなわち、プリズム７と支持体６との間に固定構造を設けても構わない。
【００４１】
前記実施形態では、挿通部８１１Ａの内周面、及び突起部９１の外周面を本発明に係る回転規制部１０として構成していたが、これに限らず、Ｘ軸を中心とした固定部材９の回転を規制できる構造であれば、いずれの構造を採用しても構わない。
【００４２】
前記実施形態において、投射ユニット２の製造方法は、前記実施形態で説明した製造方法に限らない。
例えば、前記実施形態では、固定部材９を組み込んだ状態で反射型光変調装置４の位置調整を実施していたが、これに限らず、反射型光変調装置４の位置調整後に、固定部材９を組み込む方法を採用しても構わない。
また、前記実施形態では、スクリーン上の投影画像を確認しながら反射型光変調装置４の位置調整を実施していたが、これに限らず、プリズム７から出射される位置調整用の光束をＣＣＤカメラ等で直接、検出しながら位置調整を実施する方法を採用しても構わない。すなわち、光学装置２Ａを製造した後に、基体２Ｃを介して光学装置２Ａと投射レンズ２Ｂとを一体化する方法を採用しても構わない。
【００４３】
前記実施形態では、反射型偏光板としてワイヤーグリッド３が用いられていたが、反射型偏光板であればその他の構成を採用しても構わない。
例えば、反射型偏光板として、誘電体多層膜によって形成される偏光分離素子、液晶材料等の屈折率異方性（複屈折性）を有する有機材料を層状に積層させた高分子系の層状偏光板、偏りのない光を右回りの円偏光と左回りの円偏光とに分離する円偏光反射板と１／４波長板を組み合わせた光学素子、ブリュースター角を利用して反射偏光光と透過偏光光とに分離する光学素子、あるいは、ホログラムを利用したホログラム光学素子等を採用しても構わない。
【産業上の利用可能性】
【００４４】
本発明は、プレゼンテーションやホームシアターに用いられるプロジェクターとして利用できる。
【符号の説明】
【００４５】
１・・・プロジェクター、３・・・反射型偏光板、４・・・反射型光変調装置、６・・・支持体、７・・・クロスダイクロイックプリズム（色合成光学装置）、８・・・接続部材、９・・・固定部材、１０・・・回転規制部、７１・・・光入射面、７２・・・交差端面、９１・・・突起部、９２・・・垂直壁、８１１・・・張出部、８１１Ａ・・・挿通部、８１１Ｂ・・・切欠部、９２１・・・当接面。
【図１】
2012008187.tif 000003
【図２】
2012008187.tif 000004
【図３】
2012008187.tif 000005
【図４】
2012008187.tif 000006
【図５】
2012008187.tif 000007